(57)【要約】【課題】低い位置にあるノートパソコンの画面を、ノートパソコンに傾斜を持たせることによって作業する人の目の高さに近づける。それによって前傾姿勢を長時間続けることによる肩こりや頭痛の原因を取り除く。【解決手段】サポート台に傾斜を持たせる。傾斜角度は、使用する人の目の高さや机の高さ等、その場に合った角度で調整できるように、サポート台ベース上の４つのストッパーに傾斜台を接合することにより、大きく分けて４段階に設定することができるようにする。サポート台の傾斜角度は、サポート台とサポート台ベースを繋ぐ傾斜台をどのストッパーに固定するかによって決まってくる。サポート台とサポート台ベース、および、サポート台と傾斜台は、接続金具によって回転自在になるよう接続され、傾斜台を固定するストッパーを掛け変えることも簡単に行うことができる。【選択図】図１
2012048448.tif 000002
【特許請求の範囲】
【請求項１】
サポート台、サポート台ベース、傾斜台、ストッパー、接続金具により構成され、前記サポート台の前部端縁と同じく前記サポート台ベースの前端部とが接続金具によって回転自在になるよう接続され、その接続された箇所を支点とし、さらに、サポート台裏面の所定位置と前記傾斜台の一端とが接続金具によってサポート台を支えつつ回転自在になるように接続され、前記サポート台ベース表面の所定位置に設けられ、前記支点との距離が異なる複数個のストッパーのいずれかに、傾斜台の他方側の端部が係止または係止解除可能となるよう構成され、およそ水平に置かれたサポート台ベースに対して接続されたサポート台はノートパソコンを乗せた状態で回転自在になり、傾斜台の他方側の端部が係止される複数個のストッパーのうち、前記支点からの距離が異なる位置に設けられた、いずれかのストッパーに係止されることによって前記サポート台の傾斜角度が調整可能となることを特徴とする、ノートパソコンサポート台。
【発明の詳細な説明】
【技術分野】
【０００１】
本発明は、作業姿勢を改善するための、ノートパソコンサポート台に関するものである。
【背景技術】
【０００２】
ノートパソコンの普及に伴い、不自然な姿勢を長時間続けることによって肩こりや頭痛を訴える人が増えている。ノートパソコンを使うとどうしても不自然な姿勢になってしまうのは、画面が低い位置にあり人は低位置の画面を見ようとして前傾姿勢となるためである。このような前傾姿勢を長時間続けると、首・肩・腕に負担がかかり、肩こりや頭痛の原因になってしまう。
【０００３】
かつて、ノートパソコンを机上で使用する場合にキーボード操作を楽な姿勢で行うことができるようなノートパソコン用支持台や、リクライニング姿勢共用机、ノートパソコンラック等の名称のものが発明されている。しかし、作業中の前傾姿勢をできるだけまっすぐな自然な姿勢に直すというものではない。
【０００４】
この改善策として、ノートパソコンサポート台を発明した。これは、パソコンのサポート台に傾斜を持たせ、本来低位置にある画面を目の高さに近づけるという画期的な方法を提案するものである。
【０００５】
ノートパソコンサポート台の傾斜台の角度は４段階に調整することができるので、使用する人の目の高さや机の高さ等、その場に合った角度で調整し、負担がかかりにくい角度に自分で調整することができる。
【先行技術文献】
【特許文献】
【０００６】
【特許文献１】特開２００１−２４２９６０号公報
【発明の概要】
【発明が解決しようとする課題】
【０００７】
かつて、ノートパソコンを机上で使用する場合にキーボード操作を楽な姿勢で行うことができるようなノートパソコン用支持台や、リクライニング姿勢共用机、ノートパソコンラック等の名称のものが発明されている。
【０００８】
しかし、作業中の前傾姿勢をできるだけまっすぐな自然な姿勢に直すというものではない。またある程度それらを緩和できるように発明されたものもあるが、パソコンを面で支えるのではなく線状あるいは点で支える仕組みのため、精密機器であるパソコンの特定箇所に負荷がかかり、パソコン内部に歪みを生じさせる可能性も高い。歪みはハードディスクドライブなど駆動する部分の破損を誘発する。また、パソコンを長時間使用するに際しては、温度上昇についても考慮する必要がある。
【課題を解決するための手段】
【０００９】
上記課題を解決するためになされた本発明は、サポート台、サポート台ベース、傾斜台、ストッパー、接続金具により構成され、前記サポート台の前部端縁と同じく前記サポート台ベースの前端部とが接続金具によって回転自在になるよう接続され、その接続された箇所を支点とし、さらに、サポート台裏面の所定位置と前記傾斜台の一端とが接続金具によってサポート台を支えつつ回転自在になるように接続され、前記サポート台ベース表面の所定位置に設けられ、前記支点との距離が異なる複数個のストッパーのいずれかに、傾斜台の他方側の端部が係止または係止解除可能となるよう構成され、およそ水平に置かれたサポート台ベースに対して接続されたサポート台はノートパソコンを乗せた状態で回転自在になり、傾斜台の他方側の端部が係止される複数個のストッパーのうち、前記支点からの距離が異なる位置に設けられた、いずれかのストッパーに係止されることによって前記サポート台の傾斜角度が調整可能ことを特徴とする。
本来低位置にある画面を目の高さに近づけるためにサポート台に傾斜を持たせ、サポート台とサポート台ベースの傾斜角度の調整は、その場の環境に合わせ大きく４段階に調整できるようにしている。
また、パソコンを乗せるサポート台、全体を支えるベース部分、傾斜角を作り出すための傾斜台といった各部品が全て格子状の部品で構成されている。
【発明の効果】
【００１０】
本発明品を使用することにより、、ノートパソコンの画面が低い位置にあるために作業中に前傾姿勢を長時間続けてしまうことによって生じる肩こりや頭痛を改善する効果が見込まれる。
本発明のノートパソコンサポート台の角度は４段階に調整することができるので、使用する人の目の高さや机の高さ等、その場に合った角度で調整し、負担がかかりにくい角度に自分で調整することができるという利点がある。
また、本発明はパソコンを乗せる台が全体を格子状面で支えることから、パソコンへの負担は通常使用と全く変わらないといってよい。さらに、パソコン底面を格子状面で支えることで温度上昇を防ぐ効果もある。温度上昇はパソコンの処理速度低下を招くものであり、これまで勘案した発明は他にない。
【図面の簡単な説明】
【００１１】
【図１】図１は、ノートパソコンサポート台の組み立てた状態を上部・正面および右横から示した図である。    Ａは、上部から見た図を示す。    Ｂは、正面から見た図を示す。    Ｃは、右横から見た図を示す。
【図２】図２は、１．サポート台および２．サポート台ベースを５．接続金具によって接続した状態を示す。
【図３】図３は、１．サポート台および３．傾斜台を５．接続金具によって接続した状態を示す。
【図４】図４は、５．接続金具に対する負荷のかかり方についての説明図である。
【図５】図５は、３．傾斜台を一番奥の４．ストッパーと一番手前の４．ストッパーに掛け、１．サポート台の角度を調整している状態を示す。    Ａは、一番奥の４．ストッパーに掛け、１．サポート台の角度を小さく調整している状態を示す。    Ｂは、一番手前の４．ストッパーに掛け、１．サポート台の角度を大きく調整している状態を示す。
【図６】図６は、４．ストッパーの図を示す。
【発明を実施するための形態】
【００１２】
ノートパソコンの画面の位置を目の高さに近づけることで自然な姿勢で画面が見ることができ、かつタイプも自然な姿勢で腕や手首に負担をかけずに行えることを目的としており、これを、最小の部品点数で実現した。
【実施例１】
【００１３】
ノートパソコン・サポート台を構成する、部品は主に、１．サポート台、２．サポート台ベース、３．傾斜台、４．ストッパー、５．接続金具である。  １．サポート台と ２．サポート台ベースを前端部で接続するために使うのが、５．接続金具であり細長い筒状をしている。１．２．の部材の両端を図２のように包み込むように固定する。これにより、楕円の中で １．サポート台、２．サポート台ベースの前端部をＳ．支点とし回転自在となり、また傾斜台の一端（上端）とサポート台裏面の所定位置とが接続金具によってサポート台を支えつつ、  自在に回転することができるようになる。また、１．２．間の角度が変わり傾斜が変わるのに合わせ ５．接続金具も回転するため、接続金具に無理な負担がかかることがないように設計されている。この接続金具には、パソコンサポート台の傾斜角度に応じて負荷のかかり方が変わってくる。角度が小さい場合には、ＰＣサポート台は前に出ようとする力が強く働くため、接続金具には金具を広げようをする力が働く。角度が大きい場合には、サポート台は下に押そうとする力が強く働くため、接続金具には楕円の形状が横になるような力が働く。１．２．に自在な回転をさせながら、かつかかる負荷に対して求められる耐久性も勘案して、楕円状金具を用いている。
【実施例２】
【００１４】
「ノートパソコンサポート台」を構成する、 １．サポート台 と ３．傾斜台 を接続するのも ５．接続金具である。１．３．により使用者の使いやすい角度を決めることができるようになるため、この２つの接続部分も自在な回転が求められる。１．と３．を接続する場合も、実施例１と同様な負荷に対して、１．と２．の接続の時と同様に、自在な回転と荷重に対する耐久性が求められることから、同一の５．接続金具を用いて、図３のように固定している。
５．接続金具に対する負荷のかかり方についての説明図を図４に示す。
【実施例３】
【００１５】
３．傾斜台と４．ストッパーの接続・固定（係止）と着脱（係止解除）方法について以下に記す。
ノートパソコンサポート台の傾斜は、１．サポート台と３．傾斜台の角度設定により決めることができる。１．サポート台と３．傾斜台とは、５．接続金具により回転稼動可能な状態で接続している。３．傾斜台の最端部をどの位置の４．ストッパーに掛けるかにより、１．サポート台の角度が決まることになる。一番奥の４．ストッパーに掛けた状態と一番手前の４．ストッパーに掛けた状態を図５に示す。角度設定のための４．ストッパーの数は任意に設けることが可能であるが、ここでは５度〜３０度程度を目安とし、４段階としている。試作によるテストにより、３０度を超える角度は手首への負担が大きくなるため推奨できないと判断した。
４．ストッパーは、図６のようにパソコン台本体と同一材質の金属で溶接接続が理想だが、負荷に対する耐久性が維持できる材質のものであれば、プラスチック製のものでも可能である。
３．傾斜台の一方の最端部をこの４．ストッパーに掛ける事で、簡単に角度設定ができる。P．ノートパソコンをこの１．サポート台の上に載せることにより、横方向および下方への力が働くため、４．ストッパーから３．傾斜台の最端部が自然に外れることはない。また４．ストッパーの頭部を前傾にすることで更に外れ難くなっている。
角度を変えたい場合には、P．ノートパソコンを一旦サポート台からおろした後、１．サポート台を手前に引くことで、３．傾斜台も前にずれ、自然と４．ストッパーから外れる。その後再度３．傾斜台を任意の４．ストッパーに掛ける事で、再設定は簡単に行うことができる。
【符号の説明】
【００１６】
１    サポート台
２    サポート台ベース
３    傾斜台
４    ストッパー
５    接続金具
６    保護用クッション材
７    持ち運び用ベルト
Ｐ    ノートパソコン
Ｓ    支点
【図１】
2012048448.tif 000003
【図２】
2012048448.tif 000004
【図３】
2012048448.tif 000005
【図４】
2012048448.tif 000006
【図５】
2012048448.tif 000007
【図６】
2012048448.tif 000008